(57)【要約】ロウソクのロウ組成物中に存在する染料及び顔料は、ＵＶ吸収剤と金属化合物、特にスズ化合物と組み合わせることにより、退色又は色変化に対して特に良好に安定化される。ヒンダードアミン又は酸化防止剤の更なる添加が極めて有益である。【特許請求の範囲】
【請求項１】
（ａ）ロウソクのロウ、並びに
（ｂ）安定化有効量の
（ｉ）ＵＶ吸収剤からなる群より選択される少なくとも１つの化合物、及び
（ii）周期表の４、６、７、８、９、１０、１１、１２、１３、１４、１５及び１６族から選択される金属を含み、
存在する金属の量が、ロウソクのロウに基づき、約１５重量ppb〜約３４００重量ppmである、
安定化された組成物。
【請求項２】
成分（ｉ）が、ベンゾトリアゾール、ベンゾフェノン、α−シアノアクリレート、オキサニリド、ｓ−トリアジン、シンナメート、マロネート、ベンゾエート、サリチレート及びベンゾキサジン−４−オンの紫外線吸収剤からなる群より選択される少なくとも１つの化合物である、請求項１記載の組成物。
【請求項３】
成分（ｉ）が、
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−tert−オクチルフェニル）−２Ｈ−ベンゾトリアゾール；
（ｅ）２−（２−ヒドロキシ−３，５−ジ−tert−アミルフェニル）−２Ｈ−ベンゾトリアゾール；
（ｆ）オクチル３−（ベンゾトリアゾール−２−イル）−５−tert−ブチル−４−ヒドロキシヒドロシンナメート；
（ｇ）２−（２−ヒドロキシ−３，５−ジ−tert−ブチルフェニル）−２Ｈ−ベンゾトリアゾール；
（ｈ）２−（２−ヒドロキシ−５−tert−ブチルフェニル）−２Ｈ−ベンゾトリアゾール；
（ｉ）５−クロロ−２−（２−ヒドロキシ−３，５−ジ−tert−ブチルフェニル）−２Ｈ−ベンゾトリアゾール；
（ｊ）５−クロロ−２−（２−ヒドロキシ−３−tert−ブチル−５−メチルフェニル）−２Ｈ−ベンゾトリアゾール；
（ｋ）２−（２−ヒドロキシ−３−sec−ブチル−５−tert−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−〔２−ヒドロキシ−３，５−ジ（α，α−ジメチルベンジル）フェニル〕−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール；
（ｑ）２−｛２−ヒドロキシ−３−tert−ブチル−５−〔２−（オクチルオキシ）カルボニル）エチル〕フェニル｝−２Ｈ−ベンゾトリアゾール；
（ｒ）２−エチルヘキシルｐ−メトキシシンナメート；
（ｓ）４−メトキシ−２，２′−ジヒドロキシベンゾフェノン；
（ｔ）４，４′−ジメトキシ−２，２′−ジヒドロキシベンゾフェノン；
（ｕ）２，４−ビス（２，４−ジメチルフェニル）−６−（２−ヒドロキシ−４−オクチルオキシフェニル）−ｓ−トリアジン；
（ｖ）２，４−ジフェニル−６−（２−ヒドロキシ−４−ヘキシルオキシフェニル）−ｓ−トリアジン；
（ｗ）２，４−ビス（２，４−ジメチルフェニル）−６−〔２−ヒドロキシ−４−（３−ド−トリ−デシルオキシ−２−ヒドロキシプロポキシ）フェニル〕−ｓ−トリアジン；及び
（ｘ）２，４−ビス（２，４−ジメチルフェニル）−６−〔２−ヒドロキシ−４−（３−ド−トリ−デシルオキシ−２−ヒドロキシプロポキシ）−５−α−クミルフェニル〕−ｓ−トリアジンからなる群より選択される少なくとも１つの化合物である、請求項１記載の組成物。
【請求項４】
成分（ｉ）が、
（ａ）４−オクチルオキシ−２−ヒドロキシベンゾフェノン；
（ｂ）４−メトキシ−２−ヒドロキシベンゾフェノン；
（ｄ）２−（２−ヒドロキシ−５−tert−オクチルフェニル）−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール；及び
（ｑ）２−｛２−ヒドロキシ−３−tert−ブチル−５−〔２−（オクチルオキシ）カルボニル）エチル〕フェニル｝−２Ｈ−ベンゾトリアゾールからなる群より選択される少なくとも１つの化合物である、請求項３記載の組成物。
【請求項５】
ヒンダードアミン光安定剤、フェノール系酸化防止剤、有機リン安定剤、ヒドロキシルアミン安定剤、ニトロン安定剤及びアミンオキシド安定剤からなる群より選択される少なくとも１種の安定剤の安定化有効量を追加的に含む、請求項１記載の組成物。
【請求項６】
ロウソクのロウ中の成分（ｉ）（ii）及び追加の安定剤の量が、合計で、ロウに基づき０．０１〜１０重量％である、請求項５記載の組成物。
【請求項７】
金属が、周期表の４、９、１０、１２、１３及び１４族から選択される、請求項１記載の組成物。
【請求項８】
金属が、Ｔｉ、Ｎｉ、Ｚｎ、Ａｌ又はＳｎである、請求項７記載の組成物。
【請求項９】
金属が、金属錯体の形態であり、
（ａ）２，２′−｛（ジブチルスタンニレン）ビス〔オキシ（５−tert−オクチル−２，１−フェニレン）〕｝ビス（５−トリフルオロメチル−２Ｈ−ベンゾトリアゾール）又は
（ｂ）ジブチルスズビス〔３−（５−クロロ−２Ｈ−ベンゾトリアゾール−２−イル）−５−tert−ブチル−４−ヒドロキシヒドロシンナメート〕である、請求項１記載の組成物。
【請求項１０】
ロウソクのロウを安定化させる方法であって、
ロウソクのロウ組成物に、安定化有効量の
（ｉ）ＵＶ吸収剤からなる群より選択される少なくとも１つの化合物、及び
（ii）金属化合物の金属が、周期表の４、６、７、８、９、１０、１１、１２、１３、１４、１５及び１６族から選択される金属化合物、
を加えることを含む方法であり、
成分（ii）の金属が、ロウソクのロウに基づき、約１５重量ppb〜約３４００重量ppmである方法。
【請求項１１】
式（Ｉ）又は（II）：
【化１】
2004530024.tif 000027
2004530024.tif 000028
〔式中、
ａ、ｂ及びｃは、１〜４の整数（ここで、ａ＋ｂ＋ｃ＝４である）であり；
ｍは、０、１又は２であり；
Ｒ1は、水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている前記フェニル若しくは前記フェニルアルキルであり；
Ｒ2は、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている前記フェニル若しくは前記フェニルアルキルであり；
Ｇ1は、水素又はハロゲンであり；
Ｇ2は、水素、炭素原子１〜１２個のペルフルオロアルキル、ハロゲン、ニトロ、シアノ、Ｒ3ＳＯ−、Ｒ3ＳＯ2−、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、下記式：
【化２】
2004530024.tif 000029
であるか、あるいは
Ｇ2は、フェニル、ナフチル、ビフェニリル、９−フェナントリルであるか、又は炭素原子１〜１８個のアルキル、炭素原子７〜１５個のフェニルアルキル、Ｒ3Ｓ−、Ｒ3ＳＯ−、Ｒ3ＳＯ2、炭素原子６〜１０個のアリール、炭素原子１〜１２個のペルフルオロアルキル、ハロゲン、ニトロ、シアノ、カルボキシル、炭素原子２〜１９個のアルコキシカルボニル、ヒドロキシル、炭素原子１〜１８個のアルコキシ、炭素原子６〜１０個のアリールオキシ、炭素原子７〜１５個のアラルコキシ、ビニル、アセチル、アセトアミド、アミノ、炭素原子２〜１２個のジアルキルアミノ、ホルミル、炭素原子１〜１８個のチオアルコキシ、ヒドロキシメチル、アミノメチル、ハロメチル、スルファト、ホスファトの１〜３個で置換されている、前記フェニル、ナフチル、ビフェニリル若しくは９−フェナントリルであるか、又は任意の置換基２個が、それらが結合しているアリール部分と一緒になってベンゾ環を形成し；
Ｇ3は、水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている、前記フェニル若しくは前記フェニルアルキルであり；
Ｒ3は、炭素原子１〜２０個のアルキル、炭素原子２〜２０個のヒドロキシアルキル、炭素原子３〜１８個のアルケニル、炭素原子５〜１２個のシクロアルキル、炭素原子７〜１５個のフェニルアルキル、炭素原子６〜１０個のアリール、又は炭素原子１〜４個のアルキル１又は２個若しくは１，１，２，２−テトラヒドロペルフルオロアルキル（ここでペルフルオロアルキル部分は、炭素原子６〜１６個のものである）で置換されている前記アリールであり；
Ｒ4は、炭素原子１〜１８個の直鎖状若しくは分岐鎖状アルキル、炭素原子５〜１２個のシクロアルキル、炭素原子７〜１５個のフェニルアルキル又はフェニルであり；そして
Ｒ5は、炭素原子１〜１８個の直鎖状若しくは分岐鎖状アルキル、炭素原子５〜１２個のシクロアルキル、炭素原子７〜１５個のフェニルアルキル、フェニル、炭素原子１〜１８個のアルカノイルオキシ、炭素原子１〜１８個のアルキルチオ、アルコキシカルボニルメチルチオ（ここで、アルキル基は、炭素原子１〜１８個のものである）、ベンジルマロネート又はヒドロキシルであるが、
但し、式（Ｉ）の化合物では、Ｇ1が水素の場合、Ｇ2は、水素又はハロゲンではない〕
で示されるベンゾトリアゾール−金属錯体又はベンゾトリアゾール−金属塩化合物。
【請求項１２】
Ｒ4及びＲ5が、炭素原子４〜８個のアルキルである、式（Ｉ）又は（II）の請求項１１記載の化合物。
【請求項１３】
（ａ）２，２′−｛（ジブチルスタンニレン）ビス〔オキシ（５−tert−オクチル−２，１−フェニレン）〕｝ビス（５−トリフルオロメチル−２Ｈ−ベンゾトリアゾール）又は
（ｂ）ジブチルスズビス〔３−（５−クロロ−２Ｈ−ベンゾトリアゾール−２−イル）−５−tert−ブチル−４−ヒドロキシヒドロシンナメート〕である、請求項１１記載の化合物。
【請求項１４】
ロウソクのロウ組成物を安定化させるための、（ｉ）ＵＶ吸収剤からなる群より選択される少なくとも１つの化合物、及び（ii）金属が、周期表の４、６、７、８、９、１０、１１、１２、１３、１４、１５及び１６族から選択される金属化合物の使用であって、成分（ii）の金属が、ロウソクのロウに基づき、約１５重量ppb〜約３４００重量ppmである使用。
【発明の詳細な説明】
【技術分野】
【０００１】
本発明は、安定化されたロウソクのロウ組成物、及びロウソクのロウ組成物中の色（染料又は顔料）を安定化させる方法に関する。
【０００２】
ロウソクは、紀元前８世紀に遡り何世紀にわたって知られている。ロウソクの性質は、Ullmann's Encyclopedia of Industrial Chemistry, Volume A5，29-30頁に記載され、そこでは、ロウソクが基本材料としてパラフィン、ミツロウ及びステアリンから製造され、そして添加剤の一群も存在できることが示されている。
【０００３】
ロウソク及びロウの重要性が高まるにしたがい、前記の材料を安定化させる方法が注目されたことは驚くべきことではない。１９９４年のヒューストンにおける全国ロウソク協会会議（National Candle Association Meeting）で、 R. van der Vennetが「ロウ中の抗酸化剤−ＢＨＴの代替」（"Antioxidants in Wax - Replacement of BHT"）と題する論文を発表し、ロウが酸化したときの黄変を防ぐ酸化防止剤としてビタミンＥ（トコフェロール）の使用を大いに推奨した。ＷＯ９４／１３７３６は、同じ発明を記載している。
【０００４】
ＥＰ３５９，４８８Ａ３及びＥＰ１３３，９６４Ｂ１は、化粧品に使用されている安定化ロウを記載し、そこではロウはロウソクに使用されているものと同一又は同様である。
【０００５】
ＥＰ５，９２２Ａ１は、ロウが口紅に有用であり、ロウソクに有用なものと関連する、唇用化粧品を記載している。
【０００６】
米国特許第５，８７９，６９４号は、透明なゲルロウソク（gel candles）の組成及び構造の両方を詳細に記載している。酸化防止剤としてＢＨＴの使用が記載されている。
【０００７】
１９９８年４月１６日の全国ロウソク協会技術会議（National Candle Association Technical Meeting）において、F. A. Ballentineらが、「ＣＹＡＳＯＲＢ（登録商標）光吸収剤を有する染色ロウソクの退色防止」（"Inhibiting Color Fading of Dyed Candles with CYASORB（R）Light Absorbers"）と題する論文を発表し、そこで、染色ロウソクのロウの色安定性に対する光吸収剤の効果に関するデータと共に、熱酸化及び光分解の一般理論が議論された。比較された光吸収剤は、４−オクチルオキシ−２−ヒドロキシベンゾフェノンＵＶ−５３１；４−メトキシ−２−ヒドロキシベンゾフェノンＵＶ−９；２−（２−ヒドロキシ−５−メチルフェニル−２Ｈ−ベンゾトリアゾールＵＶ−５３６５：２−（２−ヒドロキシ−５−tert−オクチルフェニル）−２Ｈ−ベンゾトリアゾールＵＶ−５４１１及び２−（２−ヒドロキシ−３，５−ジ−tert−アミルフェニル）−２Ｈ−ベンゾトリアゾールＵＶ−２３３７である。
【０００８】
米国特許第５，９６４，９０５号は、トリブロックコポリマー及び高引火点の炭化水素油を含有する染色芳香ロウソクゲルを教示している。この文献は、可視光線又は紫外線に曝露された場合、ロウソクの色の保存性を向上させるために光（ＵＶ）吸収剤が使用されることを教示している。２個の好ましい吸収剤は、エチルヘキシルｐ−メトキシシンナメート(PARSOL（登録商標）MCX、Roche社製)及び２−（２−ヒドロキシ−５−tert−オクチルフェニル）−２Ｈ−ベンゾトリアゾール（CYASORB（登録商標）5411、Cytec社製)である。
【０００９】
ＷＯ００／２２０３７は、ロウソクを含む、固体であり、造形され、着色されたロウ商品を、マロネート化合物構造の一部として場合によりヒンダードアミン部分を含有してもよい、マロネートＵＶ吸収剤を使用して、安定化することを教示している。ロウ物品は種々の油溶性染料及び顔料により着色されている。ジメチルｐ−メトキシベンジリジンマロネートにより保護されているサンプルは、選択されたベンゾトリアゾール又はベンゾフェノンＵＶ吸収剤により安定化されているサンプルよりも変色に対して良好な耐性を示した。
【００１０】
特公平３−２７８５５４号は、有機顔料で着色されているロウクレヨン（製図用品）がヒンダードアミン及び／又はベンゾトリアゾールで安定化されうることを教示している。
【００１１】
ロウ安定化において、選択されたヒンダードアミン及び／又はベンゾトリアゾールＵＶ吸収剤を使用することは、米国特許第３，５３０，０８４号、第４，３７９，７２１号、第４，６１６，０５１号及び第５，９６４，９０５号で見られるように先行技術においても知られている。
【００１２】
フランス国第１，４５７，９６６号は、選択されたベンゾトリアゾールＵＶ吸収剤とのアルミニウム、ホウ素、チタン、ケイ素、スズ、リン及びアンチモン錯体を、織物の光安定剤として記載している。
【００１３】
フランス国第１，４８７，７５２号は、ベンゾトリアゾール、ベンゾフェノン及びベンゾエートとのスズ錯体を、ポリプロピレン及びポリアクリロニトリルのような合成樹脂に有用である光安定剤として教示している。
【００１４】
米国特許第３，６００，３９７号及び第３，８５６，７２７号は、ポリオレフィン類のような一群の合成樹脂を紫外線による劣化から保護する、ベンゾトリアゾールとのスズ錯体を開示している。
【００１５】
フランス国第１，５３１，５０９号は、ポリ（塩化ビニル）の安定剤として、ベンゾトリアゾールのスズ又はケイ素錯体を教示している。
【００１６】
米国特許第３，１４９，０９３号は、有機スズメルカプチド、フェノール系酸化防止剤及び有機亜リン酸塩を使用することによる、ポリプロピレンの加工性の向上を記載している。紫外線照射に対する保護についての記載はない。
【００１７】
B. B. Cooray及びG. Scottは、European Polymer Journal,17, 229 (1981)で、ポリ（塩化ビニル）のＵＶ安定化における、スズ安定剤とポリマー結合酸化防止剤間の酸化防止剤作用及び相乗効果の機構を教示している。
【００１８】
米国特許第４，１７９，４３２号は、ベンゾフェノンＵＶ吸収剤及び種々のスズ化合物を使用して、ポリプロピレン組成物を紫外線に対して安定化することを開示している。
【００１９】
米国特許第３，５１０，４５１号は、ベンゾフェノン又はベンゾトリアゾールのスズ錯体を亜リン酸塩及びフェノール系酸化防止剤と一緒に組み合わせて使用して、ポリプロピレンを熱及び光による劣化に対して安定化することを教示している。
【００２０】
いずれの参考文献も、ＵＶ吸収剤を金属化合物と一緒に使用した場合にもたらされる、染色又は顔料で着色されたロウソクのロウ組成物を安定化させる優れた性能は教示していない。
【００２１】
本発明の目的は、ＵＶ吸収剤と金属化合物との組み合わせで安定化させたロウソクのロウ組成物を提供することである。
【００２２】
本発明の他の目的は、染色又は顔料で着色されたロウソクのロウ組成物を、ヒンダードアミン安定剤を用いるか、又はヒンダードアミン安定剤を用いずに、あるいは酸化防止剤を用いるか、又は酸化防止剤を用いずに、ＵＶ吸収剤と金属化合物とを組み合わせることにより安定化させる方法を提供することである。
【００２３】
本発明の他の目的は、新規のベンゾトリアゾール−金属錯体又はベンゾトリアゾール−金属塩化合物を提供することである。
【００２４】
本発明は、
（ａ）ロウソクのロウ、並びに
（ｂ）安定化有効量の
（ｉ）ＵＶ吸収剤からなる群より選択される少なくとも１つの化合物、及び
（ii）周期表の４、６、７、８、９、１０、１１、１２、１３、１４、１５及び１６族から選択される金属を含み、
存在する金属の量が、ロウソクのロウに基づき、約１５重量ppb〜約３４００重量ppmの金属である、
安定化された組成物に関する。
【００２５】
存在する金属の濃度は、例えば、ロウソクのロウに基づき、約１５重量ppb〜約３．４重量ppmの金属、例えば、ロウソクのロウに基づき、約１５〜約６００重量ppbの金属である。
【００２６】
成分（ii）の金属は、あらゆる可能な形態、例えば、ＵＶＡ−金属錯体若しくはＵＶＡ−金属塩の形態、金属カルボン酸塩若しくは金属アルコキシドのような有機金属化合物の形態、金属塩の形態、又は純金属の形態で本発明の組成物中に存在する。上記で述べた金属の濃度は、金属単体（金属自体）に基づいている。
【００２７】
本発明のＵＶＡ−金属錯体又はＵＶＡ−金属塩のような有機金属錯体又は塩は、当該技術で理解されている構造として定義される。
【００２８】
用語ｐｐｂ及びｐｐｍは、それぞれ十億分率及び百万分率である。
【００２９】
成分（ｉ）のＵＶ吸収剤すなわち紫外線吸収剤（ＵＶＡ）は、例えば、ベンゾトリアゾール、ベンゾフェノン、α−シアノアクリレート、オキサニリド、ｓ−トリアジン、シンナメート、マロネート、ベンゾエート、サリチレート及びベンズオキサジン−４−オン紫外線吸収剤からなる群より選択される。
【００３０】
他の実施態様において、成分（ｉ）のＵＶ吸収剤は、ベンゾトリアゾール、ベンゾフェノン又はｓ−トリアジンである。
【００３１】
更に他の実施態様において、成分（ｉ）のＵＶ吸収剤は、ベンゾトリアゾールである。
【００３２】
ＵＶ吸収剤は、化学放射線への曝露により引き起こされる劣化から基材を安定化させる分野においてよく知られている。ロウソクに有利に使用することができるＵＶ吸収剤の例には下記が含まれる：
（ａ）４−オクチルオキシ−２−ヒドロキシベンゾフェノン；
（ｂ）４−メトキシ−２−ヒドロキシベンゾフェノン；
（ｃ）２−（２−ヒドロキシ−５−メチルフェニル）−２Ｈ−ベンゾトリアゾール；
（ｄ）２−（２−ヒドロキシ−５−tert−オクチルフェニル）−２Ｈ−ベンゾトリアゾール；
（ｅ）２−（２−ヒドロキシ−３，５−ジ−tert−アミルフェニル）−２Ｈ−ベンゾトリアゾール；
（ｆ）オクチル３−（ベンゾトリアゾール−２−イル）−５−tert−ブチル−４−ヒドロキシヒドロシンナメート；
（ｇ）２−（２−ヒドロキシ−３，５−ジ−tert−ブチルフェニル）−２Ｈ−ベンゾトリアゾール；
（ｈ）２−（２−ヒドロキシ−５−tert−ブチルフェニル）−２Ｈ−ベンゾトリアゾール；
（ｉ）５−クロロ−２−（２−ヒドロキシ−３，５−ジ−tert−ブチルフェニル）−２Ｈ−ベンゾトリアゾール；
（ｊ）５−クロロ−２−（２−ヒドロキシ−３−tert−ブチル−５−メチルフェニル）−２Ｈ−ベンゾトリアゾール；
（ｋ）２−（２−ヒドロキシ−３−sec−ブチル−５−tert−ブチルフェニル）−２Ｈ−ベンゾトリアゾール；
（ｌ）２−（２−ヒドロキシ−４−オクチルオキシフェニル）−２Ｈ−ベンゾトリアゾール；
（ｍ）２−（２−ヒドロキシ−３−ドデシル−５−メチルフェニル）−２Ｈ−ベンゾトリアゾール；
（ｎ）２−〔２−ヒドロキシ−３，５−ジ（α，α−ジメチルベンジル）フェニル〕−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール；
（ｑ）２−｛２−ヒドロキシ−３−tert−ブチル−５−〔２−（オクチルオキシ）カルボニル）エチル〕フェニル｝−２Ｈ−ベンゾトリアゾール；
（ｒ）２−エチルヘキシルｐ−メトキシシンナメート；
（ｓ）４−メトキシ−２，２′−ジヒドロキシベンゾフェノン；
（ｔ）４，４′−ジメトキシ−２，２′−ジヒドロキシベンゾフェノン；
（ｕ）２，４−ビス（２，４−ジメチルフェニル）−６−（２−ヒドロキシ−４−オクチルオキシフェニル）−ｓ−トリアジン；
（ｖ）２，４−ジフェニル−６−（２−ヒドロキシ−４−ヘキシルオキシフェニル）−ｓ−トリアジン；
（ｗ）２，４−ビス（２，４−ジメチルフェニル）−６−〔２−ヒドロキシ−４−（３−ド−トリ−デシルオキシ−２−ヒドロキシプロポキシ）フェニル〕−ｓ−トリアジン；及び
（ｘ）２，４−ビス（２，４−ジメチルフェニル）−６−〔２−ヒドロキシ−４−（３−ド−トリ−デシルオキシ−２−ヒドロキシプロポキシ）−５−α−クミルフェニル〕−ｓ−トリアジン。
【００３３】
他の実施態様において、ＵＶ吸収剤は
（ａ）４−オクチルオキシ−２−ヒドロキシベンゾフェノン；
（ｂ）４−メトキシ−２−ヒドロキシベンゾフェノン；
（ｄ）２−（２−ヒドロキシ−５−tert−オクチルフェニル）−２Ｈ−ベンゾトリアゾール；
（ｏ）２−〔２−ヒドロキシ−３−（α，α−ジメチルベンジル）−５−tert−オクチルフェニル〕−２Ｈ−ベンゾトリアゾール；
（ｐ）２−｛２−ヒドロキシ−３−tert−ブチル−５−〔２−（ω−ヒドロキシ−オクタ（エチレンオキシ）カルボニル）エチル〕フェニル｝−２Ｈ−ベンゾトリアゾール；又は
（ｑ）２−｛２−ヒドロキシ−３−tert−ブチル−５−〔２−（オクチルオキシ）カルボニル）エチル〕フェニル｝−２Ｈ−ベンゾトリアゾールである。
【００３４】
組成物は、ヒンダードアミン光安定剤、フェノール系酸化防止剤、有機リン安定剤、ヒドロキシルアミン安定剤、ニトロン安定剤及びアミンオキシド安定剤からなる群より選択される少なくとも１種の安定剤の安定化有効量を追加的に含むことができる。
【００３５】
上記のように、本発明の組成物は、場合により、ヒンダードアミン光安定剤（ＨＡＬＳ）の群から選択される化合物を含むことができる。特に、本発明の組成物は、アルコキシ部分又はシクロアルコキシ部分によりＮ原子が置換されているヒンダードアミン、ヒドロキシ基で更に置換されているアルコキシによりＮ原子が置換されているヒンダードアミン、及びＮ原子が水素、アルキル、アシル等で置換されている通常のヒンダードアミンからなる群より選択される少なくとも１種のヒンダードアミン安定剤を含むことができる。
【００３６】
Ｎ原子がアルコキシ部分又はシクロアルコキシ部分で置換されているヒンダードアミンは、当該技術においてよく知られている。これらは、米国特許第５，２０４，４７３号に詳細に記載されており、関連部分は参照として本明細書に組み込まれる。
【００３７】
本発明に有用な、Ｎ原子がアルコキシ部分、シクロアルコキシ部分又はベンジルオキシ部分で置換されているヒンダードアミンには、下記が含まれる：
（ａ）ビス（１−オクチルオキシ−２，２，６，６−テトラメチルピペリジン−４−イル）セバケート；
（ｂ）ビス（１−シクロヘキシルオキシ−２，２，６，６−テトラメチルピペリジン−４−イル）セバケート；
（ｃ）１−シクロヘキシルオキシ−２，２，６，６−テトラメチル−４−オクタデシルアミノピペリジン；
（ｄ）２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン；
（ｅ）ビス（１−シクロヘキシルオキシ−２，２，６，６−テトラメチルピペリジン−４−イル）アジペート；
（ｆ）４，４′−ヘキサメチレンビス（アミノ−２，２，６，６−テトラメチルピペリジン）と２−クロロ−４，６−ビス（ジブチルアミノ）−ｓ−トリアジンで末端をキャップされている２，４−ジクロロ−６−〔（１−オクチルオキシ−２，２，６，６−テトラメチルピペリジン−４−イル）ブチルアミノ〕−ｓ−トリアジンとの縮合物であるオリゴマー化合物；
（ｇ）４，４′−ヘキサメチレンビス（アミノ−２，２，６，６−テトラメチルピペリジン）と２−クロロ−４，６−ビス（ジブチルアミノ）−ｓ−トリアジンで末端をキャップされている２，４−ジクロロ−６−〔（１−シクロヘキシルオキシ−２，２，６，６−テトラメチルピペリジン−４−イル）ブチルアミノ〕−ｓ−トリアジンとの縮合物であるオリゴマー化合物；
（ｈ）１−メトキシ−４−ヒドロキシ−２，２，６，６−テトラメチルピペリジン；
（ｉ）１−オクチルオキシ−４−ヒドロキシ−２，２，６，６−テトラメチルピペリジン；
（ｊ）１−シクロヘキシルオキシ−４−ヒドロキシ−２，２，６，６−テトラメチルピペリジン；
（ｋ）１−メトキシ−４−オキソ−２，２，６，６−テトラメチルピペリジン；
（ｌ）１−オクチルオキシ−４−オキソ−２，２，６，６−テトラメチルピペリジン；
（ｍ）１−シクロヘキシルオキシ−４−オキソ−２，２，６，６−テトラメチルピペリジン；
（ｎ）ビス（１−ヘプチルオキシ−２，２，６，６−テトラメチルピペリジン−４−イル）セバケート；
（ｏ）ビス（１−ノニルオキシ−２，２，６，６−テトラメチルピペリジン−４−イル）セバケート；
（ｐ）ビス（１−ドデシルオキシ−２，２，６，６−テトラメチルピペリジン−４−イル）セバケート；又は
（ｑ）Ｎ，Ｎ′，Ｎ"，Ｎ"′−テトラキス〔（４，６−ビス（ブチル−１−オクチルオキシ−２，２，６，６−ペンタメチルピペリジン−４−イル）−アミノ−ｓ−トリアジン−２−イル〕−１，１０−ジアミノ−４，７−ジアザデカン。
【００３８】
Ｎ原子がヒドロキシ置換アルコキシ基で置換されているヒンダードアミンが、例えばＧＢ２，３４７，９２８に開示されており、その関連部分も参照として本明細書に組み込まれる。
【００３９】
本発明に有用な、Ｎ原子がヒドロキシ置換アルコキシ部分で置換されているヒンダードアミンには、下記が含まれる：
（ａ）１−（２−ヒドロキシ−２−メチルプロポキシ）−４−オクタデカノイルオキシ−２，２，６，６−テトラメチルピペリジン；
（ｂ）１−（２−ヒドロキシ−２−メチルプロポキシ）−４−ヒドロキシ−２，２，６，６−テトラメチルピペリジン；
（ｃ）１−（２−ヒドロキシ−２−メチルプロポキシ）−４−オキソ−２，２，６，６−テトラメチルピペリジン；
（ｄ）ビス（１−（２−ヒドロキシ−２−メチルプロポキシ）−２，２，６，６−テトラメチルピペリジン−４−イル）セバケート；
（ｅ）ビス（１−（２−ヒドロキシ−２−メチルプロポキシ）−２，２，６，６−テトラメチルピペリジン−４−イル）アジペート；
（ｆ）ビス（１−（２−ヒドロキシ−２−メチルプロポキシ）−２，２，６，６−テトラメチルピペリジン−４−イル）スクシネート；
（ｇ）ビス（１−（２−ヒドロキシ−２−メチルプロポキシ）−２，２，６，６−テトラメチルピペリジン−４−イル）グルタレート；及び
（ｈ）２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジン。
【００４０】
本発明に有用な通常のヒンダードアミンには、下記が含まれる：
（ａ）ビス（２，２，６，６−テトラメチルピペリジン−４−イル）セバケート、
（ｂ）ビス（１，２，２，６，６−ペンタメチルピペリジン−４−イル）セバケート、
（ｃ）ジ（１，２，２，６，６−ペンタメチルピペリジン−４−イル）（３，５−ジ−tert−ブチル−４−ヒドロキシベンジル）ブチルマロネート、
（ｄ）４−ベンゾイル−２，２，６，６−テトラメチルピペリジン、
（ｅ）４−ステアリルオキシ−２，２，６，６−テトラメチルピペリジン、
（ｆ）トリス（２，２，６，６−テトラメチルピペリジン−４−イル）ニトリロトリアセテート、
（ｇ）２，４−ジクロロ−６−tert−オクチルアミノ−ｓ−トリアジンと４，４′−ヘキサメチレンビス（アミノ−２，２，６，６−テトラメチルピペリジン）との重縮合物、
（ｈ）１−（２−ヒドロキシエチル）−２，２，６，６−テトラメチル−４−ヒドロキシピペリジンとコハク酸との重縮合物、
（ｉ）４，４′−ヘキサメチレンビス（アミノ−２，２，６，６−テトラメチルピペリジン）と１，２−ジブロモエタンとの重縮合物、
（ｊ）テトラキス（２，２，６，６−テトラメチルピペリジン−４−イル）１，２，３，４−ブタンテトラカルボキシレート、
（ｋ）テトラキス（１，２，２，６，６−ペンタメチルピペリジン−４−イル）１，２，３，４−ブタンテトラカルボキシレート、
（ｌ）２，４−ジクロロ−６−モルホリノ−ｓ−トリアジンと４，４′−ヘキサメチレンビス（アミノ−２，２，６，６−テトラメチルピペリジン）との重縮合物、
（ｍ）Ｎ，Ｎ′，Ｎ"，Ｎ"′−テトラキス〔（４，６−ビス（ブチル−１，２，２，６，６−ペンタメチルピペリジン−４−イル）−アミノ−ｓ−トリアジン−２−イル〕−１，１０−ジアミノ−４，７−ジアザデカン、
（ｎ）オクタメチレンビス（２，２，６，６−テトラメチルピペリジン−４−カルボキシレート）、
（ｏ）Ｎ−２，２，６，６−テトラメチルピペリジン−４−イル−ｎ−ドデシルスクシンイミド、
（ｐ）Ｎ−１，２，２，６，６−ペンタメチルピペリジン−４−イル−ｎ−ドデシルスシンイミド、
（ｑ）Ｎ−１−アセチル−２，２，６，６−テトラメチルピペリジン−４−イル−ｎ−ドデシルスシンイミド、
（ｒ）４−Ｃ15〜Ｃ17アルカノイルオキシ−２，２，６，６−テトラメチルピペリジン、
（ｓ）２，４−ジクロロ−６−シクロヘキシルアミノ−ｓ−トリアジンと４，４′−ヘキサメチレンビス（アミノ−２，２，６，６−テトラメチルピペリジン）との重縮合物、
（ｔ）１，５−ビス（２，２，６，６−テトラメチルピペリジン−４−イル）−１，５−ジアザ−４−オキソプロパン、
（ｕ）メタクリル酸メチル、アクリル酸エチル及び２，２，６，６−テトラメチルピペリジン−４−イルアクリレートのコポリマー、
（ｖ）Ｎ−オクタデシルマレイミド、スチレン及びＮ−（２，２，６，６−テトラメチルピペリジン−４−イル）マレイミドのコポリマー、
（ｗ）１，３，５−トリス〔３−（２，２，６，６−ピペリジン−４−イルアミノ）−２−ヒドロキシ−プロピル〕イソシアヌレート、
（ｘ）Ｎ−〔２−（２，２，６，６−テトラメチルピペリジン−４−イル）オキサルアミド−１−イル〕マレイミドから誘導される単位を含有するオレフィンコポリマー、
（ｙ）２，２，４，４−テトラメチル−７−オキサ−３，２０−ジアザ−２１−オキソ−ジスピロ〔５，１，１１，２〕ヘンエイコサン、
（ｚ）Ｃ12〜Ｃ14アルキル３−（２，２，４，４−テトラメチル−７−オキサ−３，２０−ジアザ−２１−オキソ−ジスピロ〔５，１，１１，２〕ヘンエイコサン−２０−イル）プロピオネート、
（aa）エピクロロヒドリンと２，２，４，４−テトラメチル−７−オキサ−３，２０−ジアザ−２１−オキソ−ジスピロ〔５，１，１１，２〕ヘンエイコサンとの反応生成物、
（bb）１，３−ジ（２，２，６，６−テトラメチルピペリジン−４−イル）２，４−ジトリデシルブタンテトラカルボキシレート、
（cc）１，３−ジ（１，２，２，６，６−ペンタメチルピペリジン−４−イル）２，４−ジトリデシルブタンテトラカルボキシレート、
（dd）３，９−ビス（１，１−ジメチル−２−ヒドロキシエチル）−２，４，８，１０−テトラオキサスピロ〔５．５〕ウンデカン、テトラメチル１，２，３，４−ブタンテトラ−カルボキシレート及び２，２，６，６−テトラメチル−４−ヒドロキシピペリジンの重縮合物、
（ee）３，９−ビス（１，１−ジメチル−２−ヒドロキシエチル）−２，４，８，１０−テトラオキサスピロ〔５．５〕ウンデカン、テトラメチル１，２，３，４−ブタンテトラ−カルボキシレート及び１，２，２，６，６−ペンタメチル−４−ヒドロキシピペリジンの重縮合物、
（ff）１，４−ビス（２，２，６，６−テトラメチルピペリジン−４−イル）−２，２−ジメチル−１，４−ジアザ−４−オキソプロパン、
（gg）４−アミノ−２，２，６，６−テトラメチルピペリジンとテトラメチロールアセチレンジウレアとの反応生成物、
（hh）１，６−ヘキサメチレンビス〔Ｎ−ホルミル−Ｎ−（２，２，６，６−テトラメチルピペリジン−４−イル）アミン〕、
（ii）Ｎ−（２，２，６，６−テトラメチルピペリジン−４−イル）マレイミドとＣ20〜Ｃ24α−オレフィンのコポリマー、
（jj）ポリ〔３−（２，２，６，６−テトラメチルピペリジン−４−イルオキシ）プロピル−メチル−シロキサン〕、
（kk）２，４−ジクロロ−６−〔Ｎ−ブチル−Ｎ−（２，２，６，６−テトラメチルピペリジン−４−イル）アミノ〕−ｓ−トリアジンと１，１０−ジアミノ−４，７−ジアザデカンとの重縮合物、及び
（mm）ドデシル３−（２，２，４，４−テトラメチル−７−オキサ−３，２０−ジアザ−２１−オキソ−ジスピロ〔５，１，１１，２〕ヘンエイコサン−２０−イル）プロピオネート。
【００４１】
例えば、本発明に有用な通常のヒンダードアミンには、
（ａ）ビス（２，２，６，６−テトラメチルピペリジン−４−イル）セバケート、
（ｂ）ビス（１，２，２，６，６−ペンタメチルピペリジン−４−イル）セバケート、
（ｃ）ジ（１，２，２，６，６−ペンタメチルピペリジン−４−イル）（３，５−ジ−tert−ブチル−４−ヒドロキシベンジル）ブチルマロネート、、
（ｇ）２，４−ジクロロ−６−tert−オクチルアミノ−ｓ−トリアジンと４，４′−ヘキサメチレンビス（アミノ−２，２，６，６−テトラメチルピペリジン）との重縮合物、
（ｈ）１−（２−ヒドロキシエチル）−２，２，６，６−テトラメチル−４−ヒドロキシピペリジンとコハク酸との重縮合物、又は
（ｍ）Ｎ，Ｎ′，Ｎ"，Ｎ"′−テトラキス〔（４，６−ビス（ブチル−１，２，２，６，６−ペンタメチルピペリジン−４−イル）−アミノ−ｓ−トリアジン−２−イル〕−１，１０−ジアミノ−４，７−ジアザデカンが含まれる。
【００４２】
Ｎ−アルコキシ又はシクロヘキシルオキシ置換ヒンダードアミンの混合物；Ｎ−ヒドロキシ−アルコキシ置換ヒンダードアミンの混合物も考慮され、これら２種のヒンダードアミンの混合物も本発明に使用することができる。実際、Ｎ原子が水素、アルキル、アシル等で置換されている通常のヒンダードアミンと共にこの種のヒンダードアミンの混合物も本発明に有用であると考慮される。
【００４３】
加えて、安定化されたロウソクのロウ組成物は、フェノール系酸化防止剤、有機リン安定剤、ヒドロキシルアミン安定剤、ニトロン安定剤及びアミンオキシド安定剤からなる群より選択される少なくとも１種の安定剤を含むこともできる。
【００４４】
ヒドロキシルアミン安定剤は、米国特許第４，５９０，２３１号、第４，６１２，３９３号、第４，６４９，２２１号、第４，６６８，７２１号、第４，６９１，０１５号、第４，６９６，９６４号、第４，７０３，０７３号、第４，７２０，５１７号、第４，７５７，１０２号、第４，７８２，１０５号、第４，８３１，１３４号、第４，８７６，３００号、第５，００６，５７７号、第５，０１９，２８５号、第５，０６４，８８３号、第５，１８５，４４８号及び第５，２３５，０５６号に開示されている。
【００４５】
ニトロン安定剤は米国特許第４，８８９，９０１号に記載されている。
【００４６】
特定のアミンオキシドは、例えば、Genox（商標）EP、ジ（Ｃ16〜Ｃ18）アルキルメチルアミンオキシド、ＣＡＳ＃２０４９３３−９３−７である。
【００４７】
米国特許第４，６６６，９６２号、第４，６６６，９６３号、第４，６７８，８２６号、第４，７５３，９７２号、第４，７５７，１０２号、第４，７６０，１７９号、第４，９２９，６５７号、第５，０５７，５６３号、第５，０２１，４７９号、第５，０４５，５８３号及び第５，１８５，４４８号は、有機材料の安定化に種々の置換ヒドロキシルアミン安定剤を使用することを開示している。
【００４８】
米国特許第５，０８１，３００号、第５，１６２，４０８号、第５，８４４，０２９号、第５，８８０，１９１号及び第５，９２２，７９４号は、飽和炭化水素アミンオキシド安定剤を開示している。
【００４９】
ロウソクのロウ中のヒンダードアミン安定剤、フェノール系酸化防止剤、有機リン安定剤、ヒドロキシルアミン安定剤、ニトロン安定剤、及びアミンオキシド安定剤から選択される任意の安定剤と組み合わされる成分（ｉ）及び（ii）の有効量は、ロウに基づいて約０．０１〜約１０重量％、例えば、ロウに基づいて約０．１〜約２重量％、例えば、ロウに基づいて約０．１〜約０．５重量％である。
【００５０】
そのようなフェノール系酸化防止剤及びヒドロキシルアミンの例には、下記が含まれる：
ｎ−オクタデシル３，５−ジ−tert−ブチル−４−ヒドロキシヒドロシンナメート、
ネオペンタンテトライルテトラキス（３，５−ジ−tert−ブチル−４−ヒドロキシヒドロシンナメート）、
ジ−ｎ−オクタデシル３，５−ジ−tert−ブチル−４−ヒドロキシベンジルホスホネート、
１，３，５−トリス（３，５−ジ−tert−ブチル−４−ヒドロキシベンジル）イソシアヌレート、
チオジエチレンビス（３，５−ジ−tert−ブチル−４−ヒドロキシヒドロシンナメート）、
１，３，５−トリメチル−２，４，６−トリス（３，５−ジ−tert−ブチル−４−ヒドロキシベンジル）ベンゼン、
３，６−ジオキサオクタメチレンビス（３−メチル−５−tert−ブチル−４−ヒドロキシヒドロシンナメート）、
２，６−ジ−tert−ブチル−ｐ−クレゾール、
２，２′−エチリデン−ビス（４，６−ジ−tert−ブチルフェノール）、
１，３，５−トリス（２，６−ジメチル−４−tert−ブチル−３−ヒドロキシベンジル）イソシアヌレート、
１，１，３−トリス（２−メチル−４−ヒドロキシ−５−tert−ブチルフェニル）ブタン、
１，３，５−トリス〔２−（３，５−ジ−tert−ブチル−４−ヒドロキシヒドロシンナモイルオキシ）エチル〕イソシアヌレート、
３，５−ジ（３，５−ジ−tert−ブチル−４−ヒドロキシベンジル）メシトール、
ヘキサメチレンビス（３，５−ジ−tert−ブチル−４−ヒドロキシヒドロシンナメート）、
１−（３，５−ジ−tert−ブチル−４−ヒドロキシアニリノ）−３，５−ジ（オクチルチオ）−ｓ−トリアジン、
Ｎ，Ｎ′−ヘキサメチレン−ビス（３，５−ジ−tert−ブチル−４−ヒドロキシヒドロシンナムアミド）、
カルシウムビス（エチル３，５−ジ−tert−ブチル−４−ヒドロキシベンジルホスホネート）、
エチレンビス〔３，３−ジ（３−tert−ブチル−４−ヒドロキシフェニル）ブチレート〕、
オクチル３，５−ジ−tert−ブチル−４−ヒドロキシベンジルメルカプトアセテート、
ビス（３，５−ジ−tert−ブチル−４−ヒドロキシヒドロシンナモイル）ヒドラジド、
Ｎ，Ｎ′−ビス〔２−（３，５−ジ−tert−ブチル−４−ヒドロキシヒドロシンナモイルオキシ）エチル〕オキサミド、
ジ（水素化牛脂）アミンを直接酸化して調製したＮ，Ｎ−ジアルキルヒドロキシルアミン、及び
ジ（Ｃ16〜Ｃ18）アルキルメチルアミンオキシド。
【００５１】
最も好ましいフェノール系酸化防止剤は、
ネオペンタンテトライルテトラキス（３，５−ジ−tert−ブチル−４−ヒドロキシヒドロシンナメート）、
ｎ−オクタデシル３，５−ジ−tert−ブチル−４−ヒドロキシヒドロシンナメート、
１，３，５−トリメチル−２，４，６−トリス（３，５−ジ−tert−ブチル−４−ヒドロキシベンジル）ベンゼン、
１，３，５−トリス（３，５−ジ−tert−ブチル−４−ヒドロキシベンジル）イソシアヌレート、
２，６−ジ−tert−ブチル−ｐ−クレゾール、又は
２，２′−エチリデン−ビス（４，６−ジ−tert−ブチルフェノール）である。
【００５２】
他の実施態様において、成分（ii）の金属は、周期表の４、９、１０、１２、１３及び１４族から選択される。
【００５３】
更に他の実施態様において、成分（ii）の金属は、Ｔｉ、Ｎｉ、Ｚｎ、Ａｌ又はＳｎである。
【００５４】
他の実施態様における成分（ii）の金属は、Ｓｎである。
【００５５】
本発明の実施例で示される比較試験のデータは、蒸留したベンゾトリアゾールＵＶ吸収剤には、実施例２で見られるように、識別可能量のスズが存在しないが、製造されたままで蒸留されていない同様のベンゾトリアゾールＵＶ吸収剤は、実施例１で見られるように、依然として残留量（１７０ppm）のスズの含有量を含むことを明白に示している。
【００５６】
安定剤の効力は、ロウソクのロウに存在する特定の染料及び／又は香料に左右されるが、実施例で示されるデータを検査すると、実施例１のＵＶ吸収剤（スズが存在する）は、実施例２の同様のＵＶ吸収剤（識別可能にスズが存在しない）よりも明らかにより効果的であることが示されている。これは、特に実施例３、４及び６で証明されている。実施例３及び４は、また、スズが存在するＵＶ吸収剤によりもたらされる優れた保護でさえ、ヒンダードアミンが同時に存在することにより、著しく向上させることができることを示している。
【００５７】
実施例１のベンゾトリアゾール中に存在するスズ触媒の残留物は、ＵＶ吸収剤を製造する製造工程の結果であるが、単に適切な金属（例えば、スズ）化合物を、識別可能には残留スズを全く含有しないベンゾトリアゾールＵＶ吸収剤に加えるだけで、実施例３、４及び６で示される結果と同じ結果を得ることができるか、と質問をすることは当然である。その答えは、実施例２のベンゾトリアゾールＵＶ吸収剤（識別可能に残留スズが全く存在しない）が、スズ錯体又は更にそれ自体単純なスズ塩を、あるいは更にヒンダードアミンの存在下で加えることにより効力が増強されて、ロウソクのロウに顕著な光保護を付与する、実施例２０〜２４の結果によって証明されているように、明確な「イエス」である。
【００５８】
ロウソクが多種多様な一群の成分を含有することに留意すべきである。基材は下記により構成することができる：
パラフィンワックス、
天然油、
ポリアミドと脂肪酸／エステル、
脂肪酸、例えばステアリン、
乳白剤、
ミツロウ、
グリセリドに加えた酸化ワックス、
アルコール、及び
エチレンオリゴマー。
【００５９】
ロウソクは、また、例えば下記のような数種の添加剤を含有する：
離型剤、
芳香剤、
防虫剤又は殺虫剤、
硬化剤、
結晶改質剤、
清澄剤、
垂れ減少剤、
着色剤、
凝固点制御剤、
伸縮性向上剤、
ゲル化剤、
押出助剤、及び
渦減少剤（vortex reducers）。
【００６０】
種々の成分は、それぞれ、正常な燃焼を保証すること、チャネリングを減少すること、均一な溶融を助けること等のために、ロウソクの性質を制御又は改質することを意図している。着色剤及び芳香剤が、適切な色、香り又は他の美観のために付与されることは明白である。
【００６１】
透明なガラスのように見えるが、伝統的なロウソクのように燃える、透明ゲルロウソクの重要性が高まっている。米国特許第５，８７９，６９４号で詳細に検討されているように（その関連部分は本明細書に参照として組み込まれる）、これらのゲルロウソクは、通常、ハード及びソフトセグメントを含有する熱力学的に不相溶なセグメントの少なくとも２個から伝統的に構成されるトリブロック、ラジカルブロック、ジブロック又はマルチブロックコポリマーからなる群より選択されるコポリマーを含有する。そのような典型的なブロックコポリマーは、スチレンモノマー単位及びゴムモノマー又はゴムコモノマー単位のブロックセグメントからなるKRATON（登録商標）(Shell Chemical社製）である。KRATON（登録商標）Ｄシリーズで見られる最も一般的な構造は、スチレン−ブタジエン−スチレン（ＳＢＳ）又はスチレン−イソプレン−スチレン（ＳＩＳ）を有する直鎖状ＡＢＡブロックである。
【００６２】
本発明の成分（ii）の金属化合物は、例えば、ＵＶＡ−金属錯体若しくはＵＶＡ−金属塩、金属カルボン酸塩若しくは金属アルコキシドのような有機金属化合物、金属塩又は純金属である。上記で述べた金属の濃度は、金属単体（金属自体）に基づいている。
【００６３】
金属錯体は、例えば、
（ａ）２，２′−｛（ジブチルスタンニレン）ビス〔オキシ（５−tert−オクチル−２，１−フェニレン）〕｝ビス（５−トリフルオロメチル−２Ｈ−ベンゾトリアゾール）又は
（ｂ）ジブチルスズビス〔３−（５−クロロ−２Ｈ−ベンゾトリアゾール−２−イル）−５−tert−ブチル−４−ヒドロキシヒドロシンナメート〕である。
【００６４】
本発明の他の目的は、ロウソクのロウを安定化させる方法であって、
ロウソクのロウ組成物に、安定化有効量の
（ｉ）ＵＶ吸収剤からなる群より選択される少なくとも１つの化合物、及び
（ii）金属が、周期表の４、６、７、８、9、１０、１１、１２、１３、１４、１５及び１６族から選択される金属化合物、
を加えることを含む方法であり、
成分（ii）の金属が、ロウソクのロウに基づき、約１５重量ppb〜約３４００重量ppmである方法を提供することである。
【００６５】
本発明の一つの実施態様において、金属化合物は、ＵＶＡ−金属錯体又はＵＶＡ−金属塩である。
【００６６】
他の実施態様において、金属化合物は、有機金属化合物、特にジブチルスズジラウレート又はジブチルスズジメトキシドである。
【００６７】
ＵＶ吸収剤及び更なる添加剤の好ましいものは、既に示されており、本発明の方法にも適用される。
【００６８】
特に好ましいのは、成分（ｉ）がベンゾトリアゾール、ベンゾフェノン又はｓ−トリアジンＵＶ吸収剤の方法である。
【００６９】
好ましい方法は、ロウソクのロウ組成物に、ヒンダードアミン光安定剤、フェノール系酸化防止剤、有機リン安定剤、ヒドロキシルアミン安定剤、ニトロン安定剤及びアミンオキシド安定剤からなる群より選択される少なくとも１種のその他の安定剤の安定化有効量を加えることを含む。
【００７０】
本発明の他の目的は、式（Ｉ）又は（II）：
【００７１】
【化３】
2004530024.tif 000002
2004530024.tif 000003
【００７２】
〔式中、
ａ、ｂ及びｃは、１〜４の整数（ここで、ａ＋ｂ＋ｃ＝４である）であり；
ｍは、０、１又は２であり；
Ｒ1は、水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている前記フェニル若しくは前記フェニルアルキルであり；
Ｒ2は、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている前記フェニル若しくは前記フェニルアルキルであり；
Ｇ1は、水素又はハロゲンであり；
Ｇ2は、水素、炭素原子１〜１２個のペルフルオロアルキル、ハロゲン、ニトロ、シアノ、Ｒ3ＳＯ−、Ｒ3ＳＯ2−、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、下記式：
【００７３】
【化４】
2004530024.tif 000004
【００７４】
であるか、あるいは
Ｇ2は、フェニル、ナフチル、ビフェニリル、９−フェナントリルであるか、又は炭素原子１〜１８個のアルキル、炭素原子７〜１５個のフェニルアルキル、Ｒ3Ｓ−、Ｒ3ＳＯ−、Ｒ3ＳＯ2、炭素原子６〜１０個のアリール、炭素原子１〜１２個のペルフルオロアルキル、ハロゲン、ニトロ、シアノ、カルボキシル、炭素原子２〜１９個のアルコキシカルボニル、ヒドロキシル、炭素原子１〜１８個のアルコキシ、炭素原子６〜１０個のアリールオキシ、炭素原子７〜１５個のアラルコキシ、ビニル、アセチル、アセトアミド、アミノ、炭素原子２〜１２個のジアルキルアミノ、ホルミル、炭素原子１〜１８個のチオアルコキシ、ヒドロキシメチル、アミノメチル、ハロメチル、スルファト、ホスファトの１〜３個で置換されている、前記フェニル、ナフチル、ビフェニリル若しくは９−フェナントリルであるか、又は任意の置換基２個が、それらが結合しているアリール部分と一緒になってベンゾ環を形成し；
Ｇ3は、水素、炭素原子１〜２４個の直鎖状若しくは分岐鎖状アルキル、炭素原子２〜１８個の直鎖状若しくは分岐鎖状アルケニル、炭素原子５〜１２個のシクロアルキル、炭素原子７〜１５個のフェニルアルキル、フェニル、又は炭素原子１〜４個のアルキル１〜４個によりフェニル環が置換されている、前記フェニル若しくは前記フェニルアルキルであり；
Ｒ3は、炭素原子１〜２０個のアルキル、炭素原子２〜２０個のヒドロキシアルキル、炭素原子３〜１８個のアルケニル、炭素原子５〜１２個のシクロアルキル、炭素原子７〜１５個のフェニルアルキル、炭素原子６〜１０個のアリール、又は炭素原子１〜４個のアルキル１又は２個若しくは１，１，２，２−テトラヒドロペルフルオロアルキル（ここでペルフルオロアルキル部分は、炭素原子６〜１６個のものである）で置換されている前記アリールであり；
Ｒ4は、炭素原子１〜１８個の直鎖状若しくは分岐鎖状アルキル、炭素原子５〜１２個のシクロアルキル、炭素原子７〜１５個のフェニルアルキル又はフェニルであり；そして
Ｒ5は、炭素原子１〜１８個の直鎖状若しくは分岐鎖状アルキル、炭素原子５〜１２個のシクロアルキル、炭素原子７〜１５個のフェニルアルキル、フェニル、炭素原子１〜１８個のアルカノイルオキシ、炭素原子１〜１８個のアルキルチオ、アルコキシカルボニルメチルチオ（ここで、アルキル基は、炭素原子１〜１８個のものである）、ベンジルマロネート又はヒドロキシルであるが、
但し、式（Ｉ）の化合物では、Ｇ1が水素の場合、Ｇ2は、水素又はハロゲンではない〕
で示される、新規のベンゾトリアゾール−金属錯体又はベンゾトリアゾール−金属塩化合物を提供することである。
【００７５】
好ましくは、Ｒ4及びＲ5が炭素原子４〜８個のアルキルであり、特に、Ｒ4及びＲ5がブチル又はオクチルである、式（Ｉ）又は（II）の化合物である。
【００７６】
式（Ｉ）又は（II）の化合物は、例えば、
（ａ）２，２′−｛（ジブチルスタンニレン）ビス〔オキシ（５−tert−オクチル−２，１−フェニレン）〕｝ビス（５−トリフルオロメチル−２Ｈ−ベンゾトリアゾール）又は
（ｂ）ジブチルスズビス〔３−（５−クロロ−２Ｈ−ベンゾトリアゾール−２−イル）−５−tert−ブチル−４−ヒドロキシヒドロシンナメート〕である。
【００７７】
更に、本発明の更なる態様は、ロウソクのロウ組成物を安定化させるための、（ｉ）ＵＶ吸収剤からなる群より選択される少なくとも１つの化合物、及び（ii）金属が、周期表の４、６、７、８、９、１０、１１、１２、１３、１４、１５及び１６族から選択される金属化合物の使用であって、成分（ii）の金属が、ロウソクのロウに基づき、約１５重量ppb〜約３４００重量ppmである、使用である。
【００７８】
下記の実施例は説明目的のみを意図する。
【００７９】
原材料
融点１３７〜１４１℃、油含有量０．５％未満の完全に精製されたロウを、Astor Wax Companyから入手した。
染料は、French Color and Chemical Corporationから供給された。
ロウのサンプルは、Candle-Lite Corporationから供給された。これらのサンプルは染料及び芳香剤を含有していた。
【００８０】
ＵＶ吸収剤及びヒンダードアミン安定剤は、Ciba Speciality Chemicals Corporatioから入手した。
【００８１】
サンプルの調製
米国のCandle Corporationから入手したロウサンプルは、既に染料及び芳香剤（香料）を含有していた。この場合、ロウを溶融し、適切な安定剤を溶融ロウに加え溶解した。次に安定化されたロウを型（７"×８．５"×０．２５"；１７．７８cm×２１．５９cm×０．６３５cm）に注ぎ、ロウプラークを得た。
【００８２】
Astor Wax Company から入手したロウサンプルを溶融した後、試験染料０．００１重量％を加え、染色ロウソクのロウベースを得た。染色ロウベースを溶融した後、適切な安定剤を加えた。次に溶融した安定化染色ロウを上記の型に注ぎ、ロウプラークを得た。
【００８３】
あるいはまた、Candle-Lite Corporationから入手したロウサンプルは、既に染料及び芳香剤（香料）を含有していた。この場合、ロウを溶融し、適切な安定剤を溶融ロウに加え溶解した。次に安定化ロウを５個の直径４４mmのアルミニウムパンに注ぎ、５個のロウディスクを得た。
【００８４】
サンプルの曝露
上記記載のロウプラークを８個の同じ断片（３．５"×２．１２５"； ８．８９cm×５．４０cm）に切断した。
試験サンプルはランプから１２インチ（３０．４８cm）下方にあり、波長３６８nmを有する６個で一列になっている冷白蛍光灯（４０Ｗ）又は６個で一列になっているＵＶランプにより、それぞれ３個の同等のディスク又はプラークのサンプルを曝露した。
【００８５】
染色の退色（又は色変化）を、６インチ積分球を有するMacbeth ColorEye Spectrophotometerにより測定した。条件は、観測１０°、光源Ｄ６５及び監視角度８°であった。
【００８６】
上記のパラメータを使用して最初の色測定を実施した。ＣＩＥシステムを使用して、反射率値からＬ、ａ及びｂ値を計算した。Ｌ、ａ及びｂ値からＹＩを計算した。続いて測定を特定の間隔で実施した。デルタＬ、ａ、ｂ及びＹＩ値は、単に最初の値とそれぞれの間隔における値との差である。デルタ（Δ）Ｅは下記のように計算される。
〔（デルタＬ）2＋（デルタａ）2＋（デルタｂ）2〕1/2＝デルタＥ
【００８７】
実施例１  オクチル３−（２Ｈ−ベンゾトリアゾール−２−イル）−５−tert−ブチル−４−ヒドロキシヒドロシンナメート
メチル３−（２Ｈ−ベンゾトリアゾール−２−イル）−５−tert−ブチル−４−ヒドロキシヒドロシンナメート（３５３ｇ、１mol）、イソオクタノール（２６０ｇ、２mol、Exxon社製）及びジブチルスズオキシド（０．５ｇ、０．００２mol）を反応フラスコに仕込み、１７５℃に加熱した。１７５℃に加熱している間、３００mmHgの真空とした。１７５℃で３０分間保持した後、過剰のイソオクタノールを圧力を５mmHg未満までゆっくりと減することにより蒸留した。目的生成物を冷却し、排出した。標記化合物を、淡黄色の油状物として４５１ｇ（１００％）の収量で得て、その構造を1H  NMR及び質量分析により確認した。非蒸留生成物をスズに関してＩＣＰ（誘導結合プラズマ（Inductively Coupled Plasm））で分析し、スズ１７０ppmを含有することが判明した。
【００８８】
実施例２  オクチル３−（２Ｈ−ベンゾトリアゾール−２−イル）−５−tert−ブチル−４−ヒドロキシヒドロシンナメート
実施例１で調製された生成物を蒸留で更に精製すると、それは、TINUVIN（登録商標）384（CIBA社製）として市販されているものとなった。この蒸留した材料を残留スズに関しＩＣＰで分析すると、スズ５ppm未満（分析装置の検出限界より低い）を含有することが判明した。
【００８９】
実施例１及び実施例２の化合物は、それぞれの実施例においてスズの濃度が異なる以外は、化学的に同一であった。
【００９０】
実施例３  蛍光灯曝露下での赤色Ｎｏ．Ｃ−１５無香ロウソクのロウにおける退色
種々の異なる安定剤を、蛍光灯曝露下、赤色Ｎｏ.Ｃ−１５無香ロウソクのロウで評価した。ΔＥ値は指示日数の曝露後の色変化を表す。低いΔＥ値は色変化がより少ないことを示し、極めて望ましい。
【００９１】
【表１】
2004530024.tif 000005
【００９２】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
【００９３】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、更に優れた安定化効果をもたらした。
【００９４】
実施例４  ＵＶランプ曝露下での赤色Ｎｏ．Ｃ−１５無香ロウソクのロウにおける退色
種々の異なる安定剤を、ＵＶランプ曝露下、赤色Ｎｏ.Ｃ−１５の無香ロウソクのロウで評価した。ΔＥ値は指示日数の曝露後の色変化を表す。低いΔＥ値は色変化がより少ないことを示し、極めて望ましい。
【００９５】
【表２】
2004530024.tif 000006
【００９６】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
【００９７】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、更に優れた安定化効果をもたらした。
【００９８】
実施例５  蛍光灯曝露下での黄色Ｎｏ．Ｃ−４７無香ロウソクのロウにおける退色
種々の異なる安定剤を、蛍光灯曝露下、黄色Ｎｏ.Ｃ−４７の無香ロウソクのロウで評価した。ΔＥ値は指示日数の曝露後の色変化を表す。低いΔＥ値は色変化がより少ないことを示し、極めて望ましい。
【００９９】
【表３】
2004530024.tif 000007
【０１００】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
【０１０１】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、同様な安定化効果をもたらした。
【０１０２】
実施例６  ＵＶランプ曝露下での黄色Ｎｏ．Ｃ−４７無香ロウソクのロウにおける退色
種々の異なる安定剤を、波長３６８nmのＵＶランプ曝露下、黄色Ｎｏ．Ｃ−４７無香ロウソクのロウで評価した。ΔＥ値は指示日数の曝露後の色変化を表す。低いΔＥ値は色変化がより少ないことを示し、極めて望ましい。
【０１０３】
【表４】
2004530024.tif 000008
【０１０４】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
【０１０５】
これらのデータは、ＵＶ吸収剤と少量のスズ錯体又は塩との組み合わせが、ＵＶ吸収剤単独よりもはるかに良好に染料を安定化することを示した。
【０１０６】
実施例７  蛍光灯曝露下での青色Ｎｏ．Ｃ−１９無香ロウソクのロウにおける退色
種々の異なる安定剤を、蛍光灯曝露下、青色Ｎｏ.Ｃ−１９無香ロウソクのロウで評価した。ΔＥ値は指示日数の曝露後の色変化を表す。低いΔＥ値は色変化がより少ないことを示し、極めて望ましい。
【０１０７】
【表５】
2004530024.tif 000009
【０１０８】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｄは、ビス（１−オクチルオキシ−２，２，６，６−テトラメチルピペリジン−４−イル）セバケート（TINUVIN（登録商標）123、CIBA社製）である。
【０１０９】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、更に優れた安定化効果をもたらした。
【０１１０】
実施例８  ＵＶランプ曝露下での青色Ｎｏ．Ｃ−１９無香ロウソクのロウにおける退色
種々の異なる安定剤を、波長３６８nmのＵＶランプ曝露下、青色Ｎｏ．Ｃ−１９無香ロウソクのロウで評価した。ΔＥ値は指示日数の曝露後の色変化を表す。低いΔＥ値は色変化がより少ないことを示し、極めて望ましい。
【０１１１】
【表６】
2004530024.tif 000010
【０１１２】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
【０１１３】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、更に優れた安定化効果をもたらした。
【０１１４】
実施例９  ＵＶランプ曝露下での白色無香ロウソクのロウの変色防止
この実験の白色ロウソクは、染料又は顔料を有していなかった。白い色は結晶化したロウによるものである。白色のロウソクは、老化により黄色から褐色に変色した。種々の異なる安定剤を、波長３６８nmのＵＶランプ曝露下、白色無香ロウソクのロウで評価した。ΔＥ値は指示日数の曝露後の色変化を表す。低いΔＥ値は色変化がより少ないことを示し、極めて望ましい。
【０１１５】
【表７】
2004530024.tif 000011
【０１１６】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMMASORB（登録商標）81、CIBA社製）である。
【０１１７】
これらのデータは、ＵＶ吸収剤と少量のスズ錯体又は塩との組み合わせが、ＵＶ吸収剤単独よりもはるかに良好に染料を安定化することを示した。ＵＶ吸収剤とヒンダードアミンと金属錯体又は塩との組み合わせは、更に優れた安定化効果をもたらした。
【０１１８】
実施例１０  蛍光灯曝露下での黄色芳香ロウソクのロウの色変化
種々の異なる安定剤を蛍光灯曝露下、米国のCandle Corporationから入手した黄色芳香ロウソクのロウにおいて評価した。ΔＥ値は指示日数の曝露後の色変化を表す。低いΔＥ値は色変化がより少ないことを示し、極めて望ましい。
【０１１９】
【表８】
2004530024.tif 000012
【０１２０】
*Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
【０１２１】
これらのデータは、ＵＶ吸収剤とヒンダードアミンと金属錯体又は塩との組み合わせが、ＵＶ吸収剤単独と比べて、優れた安定化効果をもたらすことを示した。
【０１２２】
実施例１１  ＵＶランプ曝露下での黄色芳香ロウソクのロウの色変化
種々の異なる安定剤を波長３６８nmのＵＶランプ曝露下、米国のCandle Corporationから入手した黄色芳香ロウソクのロウで評価した。ΔＥ値は指示日数の曝露後の色変化を表す。低いΔＥ値は色変化がより少ないことを示し、極めて望ましい。
【０１２３】
【表９】
2004530024.tif 000013
【０１２４】
Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１２５】
これらのデータは、ＵＶ吸収剤とヒンダードアミンと金属錯体又は塩との組み合わせが、優れた安定化の効力を供与することを示した。
【０１２６】
実施例１２  ＵＶランプ曝露下での赤色芳香ロウソクのロウの退色
種々の異なる安定剤を波長３６８nmのＵＶランプ曝露下、米国のCandle Corporationから入手した赤色芳香ロウソクのロウで評価した。ΔＥ値は指示日数の曝露後の色変化を表す。低いΔＥ値は色変化がより少ないことを示し、極めて望ましい。
【０１２７】
【表１０】
2004530024.tif 000014
【０１２８】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１２９】
これらのデータは、ＵＶ吸収剤とヒンダードアミンと金属錯体又は塩との組み合わせが、優れた安定化効果をもたらすことを示した。
【０１３０】
実施例１３  蛍光灯曝露下での緑色芳香ロウソクのロウの退色
種々の異なる安定剤を蛍光灯曝露下、米国のCandle Corporationから入手した緑色芳香ロウソクのロウで評価した。ΔＥ値は指示日数の曝露後の色変化を表す。低いΔＥ値は色変化がより少ないことを示し、極めて望ましい。
【０１３１】
【表１１】
2004530024.tif 000015
【０１３２】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１３３】
これらのデータは、ＵＶ吸収剤とヒンダードアミンと金属錯体又は塩との組み合わせが、優れた安定化効果をもたらすことを示した。
【０１３４】
実施例１４  ＵＶランプ曝露下での緑色芳香ロウソクのロウの退色
種々の異なる安定剤を、波長３６８nmのＵＶランプ曝露下、米国のCandle Corporationから入手した緑色芳香ロウソクのロウで評価した。ΔＥ値は指示日数の曝露後の色変化を表す。低いΔＥ値は色変化がより少ないことを示し、極めて望ましい。
【０１３５】
【表１２】
2004530024.tif 000016
【０１３６】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１３７】
これらのデータは、ＵＶ吸収剤とヒンダードアミンと金属錯体又は塩との組み合わせが、優れた安定化効果をもたらすことを示した。
【０１３８】
実施例１５  蛍光灯曝露下での青色芳香ロウソクのロウの退色
種々の異なる安定剤を蛍光灯曝露下、米国のCandle Corporationから入手した青色芳香ロウソクのロウで評価した。ΔＥ値は指示日数の曝露後の色変化を表す。低いΔＥ値は色変化がより少ないことを示し、極めて望ましい。
【０１３９】
【表１３】
2004530024.tif 000017
【０１４０】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１４１】
これらのデータは、ＵＶ吸収剤とヒンダードアミンと金属錯体又は塩との組み合わせが、優れた安定化効果をもたらすことを示した。
【０１４２】
実施例１６  ＵＶランプ曝露下での青色芳香ロウソクのロウの退色
種々の異なる安定剤を波長３６８nmのＵＶランプ曝露下、米国のCandle Corporationから入手した青色芳香ロウソクのロウで評価した。ΔＥ値は指示日数の曝露後の色変化を表す。低いΔＥ値は色変化がより少ないことを示し、極めて望ましい。
【０１４３】
【表１４】
2004530024.tif 000018
【０１４４】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１４５】
これらのデータは、ＵＶ吸収剤とヒンダードアミンと金属錯体又は塩との組み合わせが、優れた安定化効果をもたらすことを示した。
【０１４６】
実施例１７  蛍光灯曝露下での灰色芳香ロウソクのロウの色変化
種々の異なる安定剤を蛍光灯曝露下、米国のCandle Corporationから入手した灰色芳香ロウソクのロウで評価した。ΔＥ値は指示日数の曝露後の色変化を表す。低いΔＥ値は色変化がより少ないことを示し、極めて望ましい。
【０１４７】
【表１５】
2004530024.tif 000019
【０１４８】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１４９】
これらのデータは、ＵＶ吸収剤とヒンダードアミンと金属錯体又は塩との組み合わせが、ＵＶ吸収剤とヒンダードアミンとの組み合わせよりもさらにより良い、優れた安定化効果をもたらすことを示した。
【０１５０】
実施例１８  蛍光灯曝露下でのピンク色芳香ロウソクのロウの色変化
種々の異なる安定剤を蛍光灯曝露下、米国のCandle Corporationから入手したピンク色芳香ロウソクのロウで評価した。ΔＥ値は指示日数の曝露後の色変化を表す。低いΔＥ値は色変化がより少ないことを示し、極めて望ましい。
【０１５１】
【表１６】
2004530024.tif 000020
【０１５２】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１５３】
これらのデータは、ＵＶ吸収剤とヒンダードアミンと金属錯体又は塩との組み合わせが、ＵＶ吸収剤とヒンダードアミンとの組み合わせよりもさらにより良い、優れた安定化効果をもたらすことを示した。
【０１５４】
実施例１９  ＵＶランプ曝露下での灰色芳香ロウソクのロウの色変化
種々の異なる安定剤をＵＶランプ曝露下、米国のCandle Corporationから入手した灰色芳香ロウソクのロウで評価した。ΔＥ値は指示日数の曝露後の色変化を表す。低いΔＥ値は色変化がより少ないことを示し、極めて望ましい。
【０１５５】
【表１７】
2004530024.tif 000021
【０１５６】
*Ｂは、ビス（１，２，２，６，６−ペンタメチルピペリジン−４−イル）セバケート（TINUVIN（登録商標）292、CIBA社製）である。
Ｃは、オクチル３−（ベンゾトリアゾール−２−イル）−５−tert−ブチル−４−ヒドロキシヒドロシンナメート（TINUVIN（登録商標）99、CIBA社製）、実施例１の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
【０１５７】
これらのデータは、ＵＶ吸収剤とヒンダードアミンと金属錯体又は塩との組み合わせが、ＵＶ吸収剤とヒンダードアミンとの組み合わせよりもさらにより良い、優れた安定化効果をもたらすことを示した。
【０１５８】
実施例２０  蛍光灯曝露下でのピンク色芳香ロウソクのロウの退色
種々の異なる安定剤を蛍光灯曝露下、米国のCandle Corporationから入手したピンク色芳香ロウソクのロウで評価した。ΔＥ値は指示日数の曝露後の色変化を表す。低いΔＥ値は色変化がより少ないことを示し、極めて望ましい。
【０１５９】
【表１８】
2004530024.tif 000022
【０１６０】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
Ｇは、２，２′−｛（ジブチルスタンニレン）ビス〔オキシ（５−tert−オクチル−２，１−フェニレン）〕｝ビス（５−トリフルオロメチル−２Ｈ−ベンゾトリアゾール）、実施例２６の化合物である。
【０１６１】
これらのデータは、ＵＶ吸収剤と金属錯体又は塩との組み合わせが、優れた安定化効果をもたらすことを示した。
【０１６２】
実施例２１  ＵＶランプ曝露下でのピンク色芳香ロウソクのロウの退色
種々の異なる安定剤を波長３６８nmのＵＶランプ曝露下、米国のCandle Corporationから入手したピンク色芳香ロウソクのロウで評価した。ΔＥ値は指示日数の曝露後の色変化を表す。低いΔＥ値は色変化がより少ないことを示し、極めて望ましい。
【０１６３】
【表１９】
2004530024.tif 000023
【０１６４】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
Ｇは、２，２′−｛（ジブチルスタンニレン）ビス〔オキシ（５−tert−オクチル−２，１−フェニレン）〕｝ビス（５−トリフルオロメチル−２Ｈ−ベンゾトリアゾール）、実施例２６の化合物である。
【０１６５】
これらのデータは、ＵＶ吸収剤と金属錯体又は塩との組み合わせが、優れた安定化効果をもたらすことを示した。
【０１６６】
実施例２２  ＵＶランプ曝露下での灰色芳香ロウソクのロウの色変化
種々の異なる安定剤をＵＶランプ曝露下、米国のCandle Corporationから入手した灰色芳香ロウソクのロウで評価した。ΔＥ値は指示日数の曝露後の色変化を表す。低いΔＥ値は色変化がより少ないことを示し、極めて望ましい。
【０１６７】
【表２０】
2004530024.tif 000024
【０１６８】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
Ｈは、ジブチルスズビス〔３−（５−クロロ−２Ｈ−ベンゾトリアゾール−２−イル）−５−tert−ブチル−４−ヒドロキシヒドロシンナメート〕、実施例２７の化合物である。
Ｉは、ジブチルスズジラウレート（Aldrich Chemical社製）である。
Ｊは、ジブチルスズジメトキシド（Aldrich Chemical社製）である。
【０１６９】
これらのデータは、ＵＶ吸収剤とヒンダードアミンと金属化合物との組み合わせが、優れた安定化効果をもたらすことを示した。
【０１７０】
実施例２３  蛍光灯曝露下での白色芳香ロウソクのロウの変色防止
種々の異なる安定剤を蛍光灯曝露下、米国のCandle Corporationから入手した白色芳香ロウソクのロウで評価した。ΔＥ値は指示日数の曝露後の色変化を表す。低いΔＥ値は色変化がより少ないことを示し、極めて望ましい。
【０１７１】
【表２１】
2004530024.tif 000025
【０１７２】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
Ｇは、２，２′−｛（ジブチルスタンニレン）ビス〔オキシ（５−tert−オクチル−２，１−フェニレン）〕｝ビス（５−トリフルオロメチル−２Ｈ−ベンゾトリアゾール）、実施例２６の化合物である。
Ｉは、ジブチルスズジラウレート（Aldrich Chemical社製）である。
【０１７３】
これらのデータは、ＵＶ吸収剤とヒンダードアミンと金属化合物との組み合わせが、ＵＶ吸収剤とヒンダードアミンとの組み合わせよりもさらにより良い、優れた安定化効果をもたらすことを示した。
【０１７４】
実施例２４  ＵＶランプ曝露下での白色芳香ロウソクのロウの変色防止
種々の異なる安定剤をＵＶランプ曝露下、米国のCandle Corporationから入手した白色芳香ロウソクのロウで評価した。ΔＥ値は指示日数の曝露後の色変化を表す。低いΔＥ値は色変化がより少ないことを示し、極めて望ましい。
【０１７５】
【表２２】
2004530024.tif 000026
【０１７６】
＊Ａは、オクチル３−（ベンゾトリアゾール−２−イル）−５−tert−ブチル−４−ヒドロキシヒドロシンナメート（TINUVIN（登録商標）384、CIBA社製）、実施例２の化合物である。
Ｂは、ビス（１，２，２，６，６−ペンタメチルピペリジン−４−イル）セバケート（TINUVIN（登録商標）292、CIBA社製）である。
Ｄは、ビス（１−オクチルオキシ−２，２，６，６−テトラメチルピペリジン−４−イル）セバケート（TINUVIN（登録商標）123、CIBA社製）である。
Ｅは、２−（２−ヒドロキシ−５−tert−オクチルフェニル）−２Ｈ−ベンゾトリアゾール（TINUVIN（登録商標）329、CIBA社製）である。
Ｆは、４−オクチルオキシ−２−ヒドロキシベンゾフェノン（CHIMASSORB（登録商標）81、CIBA社製）である。
Ｇは、２，２′−｛（ジブチルスタンニレン）ビス〔オキシ（５−tert−オクチル−２，１−フェニレン）〕｝ビス（５−トリフルオロメチル−２Ｈ−ベンゾトリアゾール）、実施例２６の化合物である。
Ｈは、ジブチルスズビス〔３−（５−クロロ−２Ｈ−ベンゾトリアゾール−２−イル）−５−tert−ブチル−４−ヒドロキシヒドロシンナメート〕、実施例２７の化合物である。
Ｉは、ジブチルスズジラウレート（Aldrich Chemical社製）である。
【０１７７】
これらのデータは、ＵＶ吸収剤とヒンダードアミンと金属化合物との組み合わせが、ＵＶ吸収剤とヒンダードアミンとの組み合わせよりもさらにより良い、優れた安定化効果をもたらすことを示した。
【０１７８】
実施例２５  ２，２′−｛（ジブチルスタンニレン）ビス〔オキシ（５−tert−オクチル−２，１−フェニレン）〕｝ビス（２Ｈ−ベンゾトリアゾール）
２−（２−ヒドロキシ−５−tert−オクチルフェニル）−２Ｈ−ベンゾトリアゾール（６４．６ｇ、０．２mol、TINUVIN（登録商標）329、CIBA社製）、ジブチルスズオキシド（２４．８９ｇ、０．１mol）及びトルエンを実験室規模の反応器に仕込み、内容物を加熱還流し、７時間還流した。蒸留によりトルエンの約半分の量を留去した。ヘキサン２００ｇを加えた後、反応マスを０〜５℃に冷却した。濾過により、全ての未反応のTINUVIN（登録商標）329及びジブチルスズオキシドを除去した。 次に蒸留により溶媒を除去して、標記化合物（３８ｇ、収率４３．３％）を黄色の樹脂状物として得て、その構造は、1H NMR分析と一致していた。
分析：Ｃ48Ｈ66Ｎ6Ｏ2Ｓｎによる計算値：Ｓｎ  １３．５２
実測値：Ｓｎ  １３．８０
【０１７９】
実施例２６  ２，２′−｛（ジブチルスタンニレン）ビス〔オキシ（５−tert−オクチル−２，１−フェニレン）〕｝ビス（５−トリフルオロメチル−２Ｈ−ベンゾトリアゾール）
実施例２５の合成手順に従って、標題化合物を、対応する当量の５−トリフルオロメチル−２−（２−ヒドロキシ−５−tert−オクチルフェニル）−２Ｈ−ベンゾトリアゾールとジブチルスズオキシドを反応させることにより調製して、黄色の樹脂状物（３８ｇ、収率９９％）として標題化合物を得て、その構造は、1H NMR及び19F NMRと一致した。
分析：Ｃ50Ｈ64Ｆ6Ｎ6Ｏ2Ｓｎによる計算値：Ｓｎ  １１．７１
実測値：Ｓｎ  １０．６０
【０１８０】
実施例２７  ジブチルスズビス〔３−（５−クロロ−２Ｈ−ベンゾトリアゾール−２−イル）−５−tert−ブチル−４−ヒドロキシヒドロシンナメート〕
実施例２５の合成手順に従って、標題化合物を、対応する当量の３−（５−クロロ−２Ｈ−ベンゾトリアゾール−２−イル）−５−tert−ブチル−４−ヒドロキシヒドロケイ皮酸及びジブチルスズオキシドを反応させることにより調製して、黄色の樹脂状物（４７．２４ｇ、収率９７．６％）として標題化合物を得て、その構造は、1H NMRと一致した。
分析：Ｃ46Ｈ56Ｃｌ2Ｎ6Ｏ6Ｓｎによる計算値：Ｓｎ  １２．１３
実測値：Ｓｎ  １１．４０
【国際公開パンフレット】
2004530024.tif 000030
2004530024.tif 000031
2004530024.tif 000032
2004530024.tif 000033
2004530024.tif 000034
2004530024.tif 000035
2004530024.tif 000036
2004530024.tif 000037
2004530024.tif 000038
2004530024.tif 000039
2004530024.tif 000040
2004530024.tif 000041
2004530024.tif 000042
2004530024.tif 000043
2004530024.tif 000044
2004530024.tif 000045
2004530024.tif 000046
2004530024.tif 000047
2004530024.tif 000048
2004530024.tif 000049
2004530024.tif 000050
2004530024.tif 000051
2004530024.tif 000052
2004530024.tif 000053
2004530024.tif 000054
2004530024.tif 000055
2004530024.tif 000056
2004530024.tif 000057
2004530024.tif 000058
2004530024.tif 000059
2004530024.tif 000060
2004530024.tif 000061
2004530024.tif 000062
2004530024.tif 000063
2004530024.tif 000064
2004530024.tif 000065
2004530024.tif 000066
2004530024.tif 000067
2004530024.tif 000068
2004530024.tif 000069
2004530024.tif 000070
2004530024.tif 000071
2004530024.tif 000072
2004530024.tif 000073
2004530024.tif 000074
【国際調査報告】
2004530024.tif 000075
2004530024.tif 000076